(57)【要約】【課題】取付器具に照明器具を容易に装着することができる照明装置を提供する。【解決手段】照明装置１００は、設置面に取り付けられる取付器具１０１と、光源ユニット１１２を収容する筐体１１４が取付器具１０１に着脱可能に装着される照明器具１１１とを備え、取付器具１０１は、設置面に対向して取り付けられる取付部１０６と、取付部１０６の上端から設置面と反対側に延伸する上側延伸部１０７と、取付部１０６の下端から設置面と反対側であって斜め上方に延伸する下側延伸部１０８とを有し、照明器具１１１の筐体１１４は、取付器具１０１に装着する際に、上側延伸部１０７により支持される上側被支持部（１９１）と、下側延伸部１０８により支持される下側被支持部（１９４）とを有する。【選択図】図２
2019087465.tif 000002
【特許請求の範囲】
【請求項１】
設置面に取り付けられる取付器具と、
光源ユニットを収容する筐体が前記取付器具に着脱可能に装着される照明器具と
を備え、
前記取付器具は、
前記設置面に対向して取り付けられる取付部と、前記取付部の上端から前記設置面と反対側に延伸する上側延伸部と、前記取付部の下端から前記設置面と反対側であって斜め上方に延伸する下側延伸部とを有し、
前記照明器具の筐体は、前記取付器具に装着する際に、前記上側延伸部により支持される上側被支持部と、前記下側延伸部により支持される下側被支持部とを有する
照明装置。
【請求項２】
前記照明器具は長尺状をし、
前記光源ユニットは、前記照明器具の長手方向に長い基板に複数個のＬＥＤ素子が実装され且つ上方を照射する主光源ユニットと、前記主光源ユニットにおける長手方向の両側に配され且つ下方を照射する副光源ユニットとを備える
請求項１に記載の照明装置。
【請求項３】
前記筐体は、前記上側被支持部と前記下側被支持部とを有するフレームと、前記フレームに取り付けられるカバーとを備え、
前記カバー内であって前記フレームに対して前記設置面と反対側に前記主光源ユニットが収容されている
請求項２に記載の照明装置。
【請求項４】
前記フレームは前記上側被支持部と前記下側被支持部とを連結する連結部を備える
請求項３に記載の照明装置。
【請求項５】
前記主光源ユニットは、前記カバーに支持されている遮光板に主射方向を変更可能に取り付けられている
請求項４に記載の照明装置。
【請求項６】
前記主光源ユニットは、前記連結部に取り付けられている
請求項４に記載の照明装置。
【発明の詳細な説明】
【技術分野】
【０００１】
本発明は、設置面に取り付けられる取付器具と、光源を収容する筐体が前記取付器具に着脱可能に装着される照明器具とを備える照明装置に関する。
【背景技術】
【０００２】
設置面に装着される照明装置として、例えば、「光源と、前記光源を保持する器具本体と、前記光源を覆うように前記器具本体に取り付けられるカバーとを備え、前記器具本体は、前記光源を保持する保持部材と、前記保持部材を支持して造営材の取付面に取り付けられる取付部材とを有し、前記保持部材は、前記光源の光軸を前記取付面から離れる向きに傾けるように前記光源を保持し、前記カバーは、前記光源から放射される光を透過させる透過部と、前記透過部から前記取付面の方へ延長されて前記光を前記取付面の方へ導光する導光部とを有することを特徴とする」ものが提案されている（例えば特許文献１）。なお、特許文献１に記載の照明器具が本明細書中の「照明装置」に相当し、特許文献１に記載の取付部材が本明細書中の「取付器具」に相当する。
【０００３】
取付部材（１０）は、左右方向を長手方向とする矩形板状の取付板部（１００）と、取付板部（１００）の上縁から全長に渡って前方へ突出する矩形板状の連結板部（１０１）とを有している。
保持部材（１１）は、左右方向を長手方向とする矩形板状の保持板部（１１０）と、保持板部（１１０）の後端から後方へ突出する矩形板状の固定板部（１１１）とを有している。
そして、取付部材（１０）の連結板部（１０１）の上に、保持部材（１１）の固定板部（１１１）が重ねられて、照明装置が設置面に装着される。
【先行技術文献】
【特許文献】
【０００４】
【特許文献１】特開２０１５−２２２６９２号公報
【発明の概要】
【発明が解決しようとする課題】
【０００５】
特許文献１に記載の照明装置では、照明器具の取付器具への装着が困難であるという課題がある。
本発明は、このような事情に鑑みてなされたものであって、取付器具に照明器具を容易に装着することができる照明装置を提供することを目的とする。
【課題を解決するための手段】
【０００６】
上記課題を解決するために、本発明の一態様に係る照明装置は、設置面に取り付けられる取付器具と、光源ユニットを収容する筐体が前記取付器具に着脱可能に装着される照明器具とを備え、前記取付器具は、前記設置面に対向して取り付けられる取付部と、前記取付部の上端から前記設置面と反対側に延伸する上側延伸部と、前記取付部の下端から前記設置面と反対側であって斜め上方に延伸する下側延伸部とを有し、前記照明器具の筐体は、前記取付器具に装着する際に、前記上側延伸部により支持される上側被支持部と、前記下側延伸部により支持される下側被支持部とを有する。
【発明の効果】
【０００７】
本発明によれば、上側被支持部と下側被支持部との２か所で取付器具に支持されるため、装着の際に照明器具が安定し、取付器具に照明器具を容易に装着することができる。
【図面の簡単な説明】
【０００８】
【図１】第１実施形態に係る照明装置の分解斜視図である。
【図２】第１実施形態の照明装置の断面図である。
【図３】第１実施形態の照明器具の分解斜視図である。
【図４】第１実施形態の主光源ユニット側の分解斜視図である。
【図５】第１実施形態の主光源ユニット側の断面図である。
【図６】第１実施形態の主光源ユニットの分解図である。
【図７】第１実施形態の主光源ユニット端部の拡大斜視図である。
【図８】（ａ）は第１実施形態の押さえ具の斜視図であり、（ｂ）の第１実施形態の挟持具の斜視図である。
【図９】第１実施形態の主点灯回路ユニットの固定を説明する斜視図である。
【図１０】第１実施形態の主光源ユニットの取り付けを説明する斜視図である。
【図１１】第１実施形態の副光源ユニットの分解斜視図である。
【図１２】第１実施形態の副光源ユニットの分解斜視図である。
【図１３】第１実施形態のサイドカバー体を外した筐体の斜視図である。
【図１４】第１実施形態のサイドカバー体の取り付けを説明する斜視図である。
【図１５】第１実施形態の副光源ユニット及びサイドカバー体の取付状態を説明する斜視図である。
【図１６】第２実施形態に係る照明装置の分解斜視図である。
【図１７】第２実施形態の照明装置の断面図である。
【図１８】第２実施形態のカバーを取り外した状態の側面図である。
【図１９】第２実施形態のカバーを取り外した状態の斜視図である。
【図２０】第２実施形態のサイドカバー体と副光源ユニットを外した状態の斜視図である。
【図２１】第２実施形態の副光源ユニットの斜視図である。
【図２２】第２実施形態の副光源ユニットの取付状態を説明する斜視図である。
【図２３】第２実施形態のサイド遮光板及びサイドカバー体の取り付けを説明する斜視図である。
【発明を実施するための形態】
【０００９】
＜概要＞
一態様に係る照明装置は、設置面に取り付けられる取付器具と、光源ユニットを収容する筐体が前記取付器具に着脱可能に装着される照明器具とを備え、前記取付器具は、前記設置面に対向して取り付けられる取付部と、前記取付部の上端から前記設置面と反対側に延伸する上側延伸部と、前記取付部の下端から前記設置面と反対側であって斜め上方に延伸する下側延伸部とを有し、前記照明器具の筐体は、前記取付器具に装着する際に、前記上側延伸部により支持される上側被支持部と、前記下側延伸部により支持される下側被支持部とを有する。
別態様に係る照明装置において、前記照明器具は長尺状をし、前記光源ユニットは、前記照明器具の長手方向に長い基板に複数個のＬＥＤ素子が実装され且つ上方を照射する主光源ユニットと、前記主光源ユニットにおける長手方向の両側に配され且つ下方を照射する副光源ユニットとを備える。
別態様に係る照明装置において、前記筐体は、前記上側被支持部と前記下側被支持部とを有するフレームと、前記フレームに取り付けられるカバーとを備え、前記カバー内であって前記フレームに対して前記設置面と反対側に前記主光源ユニットが収容されている。
別態様に係る照明装置において、前記フレームは前記上側被支持部と前記下側被支持部とを連結する連結部を備える。
別態様に係る照明装置において、前記主光源ユニットは、前記カバーに支持されている遮光板に主射方向を変更可能に取り付けられている。
別態様に係る照明装置において、前記主光源ユニットは、前記連結部に取り付けられている。
【００１０】
＜第１実施形態＞
１．全体構造
一例としての照明装置は、例えば、病室や客室のベッド付近の壁（設置面である）に設置されて使用される。以下で説明する照明装置は、一部屋に１つのベットが配された病室や客室に設置される、所謂、１床用である。
照明装置１００は、図１に示すように、取付器具１０１と照明器具１１１とを備える。
取付器具１０１は、図示しないねじ等の固定具を利用して、設置面に取り付けられる。
照明器具１１１は、光源ユニット（１１２，１１３）と、光源ユニット（１１２，１１３）を収容する筐体１１４とを備え、筐体１１４が取付器具１０１に着脱可能に装着される。
光源ユニットは、図３に示すように、上方を照射する主光源ユニット１１２と、主光源ユニット１１２における長手方向の両側に配され且つ下方を照射する副光源ユニット１１３とを備える。主光源ユニット１１２はベース照明用であり、副光源ユニット１１３は足元灯用である。
【００１１】
ここで、設置面に対して直交する方向を前後方向とする。水平方向については、設置面に対向した状態で、右手側を右側、左手側を左側とし、単に長手方向ともいう。
以下、取付器具１０１と照明器具１１１について詳細に説明する。
【００１２】
２．取付器具
図１及び図２を用いて説明する。
取付器具１０１は、設置面に取り付けられる設置具１０２と、設置具１０２に設けられた端子台１０３，１０３，１０５を備える。
設置具１０２は水平方向に長い長尺状をしている。設置具１０２は、設置面に取り付けられる取付部の一例である取付板部１０６と、取付板部１０６の上端から前側に延伸する上側延伸部の一例である上側延伸板部１０７と、取付板部１０６の下端から前側であって斜め上方に延伸する下側延伸部の一例である下側延伸板部１０８とを有する。
取付板部１０６は、図１に示すように、設置面から導出する電源ケーブル（図示省略）用の貫通孔１０６ａや固定具用の貫通孔１０６ｂを有する。
上側延伸板部１０７の上面は水平な平坦面である。上側延伸板部１０７は、図１に示すように、照明器具１１１を装着(係合）した状態で照明器具１１１を固定するねじ１０９用の貫通孔１０７ａを有する。上側延伸板部１０７は、照明器具１１１を下方から支持するために、上側に屈曲する凸部分１０７ｂを長手方向に間隔をおいて複数個有している。
なお、設置具１０２は、例えば、一枚の長尺金属板から、横断面が「コ」字状に近い形状にプレス加工されてなる。
照明装置１００の点灯・消灯の他調光等は壁スイッチで行われる。ここでは、２つの端子台１０３は、主光源ユニット１１２用と２つの副光源ユニット１１３用である。端子台１０５は、主光源ユニット１１２の調光信号用である。端子台１０３には、壁スイッチを介して商用電源側の電源ケーブルと、照明器具の点灯回路と接続された電源ケーブルとが接続される。端子台１０５には、壁スイッチの信号ケーブルと、照明器具の点灯回路と接続された信号ケーブルとが接続される。
【００１３】
３．照明器具
照明器具１１１は、図２及び図３に示すように、主光源ユニット１１２、２個の副光源ユニット１１３、フレーム１１５、カバー１１６を備える。照明器具１１１は、主光源ユニット１１２から所望方向（例えば前側）に出射された光を遮断する遮光板１１７を備える。主光源ユニット１１２は遮光板１１７に取付けられている。なお、筐体１１４はフレーム１１５とカバー１１６とから構成される。
照明器具１１１は、図２に示すように、主光源ユニット１１２用の主点灯回路ユニット１１８を備える。主点灯回路ユニット１１８は、図５に示すように、主光源ユニット１１２に組み込まれ、一体として組み立てられている。照明器具１１１は、図３に示すように、副光源ユニット１１３用の副点灯回路ユニット１１９を備える。副点灯回路ユニット１１９は遮光板１１７に取り付けられている。
【００１４】
（１）主光源ユニット
主に、図５〜図７を用いて、主光源ユニットを説明する。
主光源ユニット１１２は、図６に示すように、光源である複数個のＬＥＤ素子１２１と、複数個のＬＥＤ素子１２１を実装するＬＥＤ基板１２２とから構成されるＬＥＤモジュール１２０と、ＬＥＤモジュール１２０を載置する載置部材１２３とを備える。
ここでのＬＥＤ基板１２２は長手方向に延伸する長尺矩形状をし、複数個のＬＥＤ素子１２１が長手方向に間隔をおいて実装されている。なお、ＬＥＤモジュール１２０は２個ある。
載置部材１２３は上面が平坦な長尺筒状をしている。ＬＥＤモジュール１２０は、接着シート１２４により載置部材１２３の上面に固定された反射シート１２５を介して、載置部材１２３に載置されている。
【００１５】
載置部材１２３は例えばアルミニウム材料により構成されている。載置部材１２３は、図５及び図６に示すように、長尺矩形状の平坦部１２６と、平坦部１２６における短手方向の両端から下方に半円状に延伸する半円部１２７と、平坦部１２６の短手方向の両端から上方にＬ字状に延伸するＬ字部１２８と、半円部１２７の内周面の平坦部１２６側に形成された溝部１２９とを有する。
図５に示すように、平坦部１２６にはＬＥＤモジュール１２０が載置される。半円部１２７の内部には主点灯回路ユニット１１８が収容される。平坦部１２６の両側の２個のＬ字部１２８により、後述の押さえ具１３１の係合部１３４が係合する溝部１２８ａが形成される。溝部１２９には、図６に示すように、主基板取付具１４３を固定するためのねじ１５０が螺合する。
【００１６】
ＬＥＤモジュール１２０の載置部材１２３への固定は、図６に示す押さえ具１３１と挟持具１３５とを利用している。
押さえ具１３１は、図８の（ａ）及び図５に示すように、ＬＥＤ基板１２２の上面に当接する２本の当接部１３２と、２本の当接部１３２を連結する２本の連結部１３３と、連結部１３３における短手方向の両端部に設けられ且つ載置部材１２３の溝部１２８ａに係合する係合部１３４とを有する。なお、当接部１３２はＬＥＤ基板１２２の短手方向に延伸し、長手方向に間隔をおいて２本ある。２本の当接部１３２の間には、図７に示すように、ＬＥＤ素子１２１が位置する。係合部１３４は、図５に示すように、ＬＥＤ基板１２２の短手方向に延伸している。
挟持具１３５は、図７及び図８の（ｂ）に示すように、ＬＥＤ基板１２２の短手方向の角部に当接する基板側当接部分１３６と、載置部材１２３の平坦部１２６の内面に当接する部材側当接部分１３７（図５参照）とを上下に有する挟持部１３８とを有する。挟持具１３５は、２個の挟持部１３８をＬＥＤモジュール１２０の短手方向に間隔をおいて有し、２個の挟持部１３８を連結する連結部１３９を有している。なお、挟持具１３５は、図７に示すように、載置部材１２３の端部の欠け部１２３ａを利用して取り付けられる。
【００１７】
（２）主点灯回路ユニット
主に、図５及び図６を用いて、主点灯回路ユニット１１８を説明する。
主点灯回路ユニット１１８は、点灯回路や調光回路等を構成するための複数個の電子部品１４０と、複数個の電子部品１４０を実装する長尺状の主回路基板１４１とを有する。主点灯回路ユニット１１８は、筒状の絶縁ケース１４２内に配された状態で、載置部材１２３の内部に収容されている。主回路基板１４１は、図９に示すように、主基板取付具１４３を利用して載置部材１２３に固定される。
【００１８】
主基板取付具１４３は、図９に示すように、載置部材１２３内に挿入される半円筒部１４４と、半円筒部１４４の一端（長手方向の外側端）に設けられ且つ載置部材１２３に固定される固定部１４５と、半円筒部１４４の他端から固定部１４５と反対側に延伸して主回路基板１４１の下面に当接する下当接部１４６と、半円筒部１４４の他端から固定部１４５と反対側に延伸して主回路基板１４１の上面に当接する上当接部１４７と、下当接部１４６の上面から上方へ突出する上突出部１４８と、上当接部１４７における主回路基板１４１の短手方向の端部から短手方向に張り出す横張出部１４９とを有する。
【００１９】
固定部１４５は、図９に示すように、上方が開放する「Ｕ」字状をし、半円筒部１４４の一端部から径方向の外方及び内方に張り出すような形状をしている。外方に張り出した外張出部分１４５ｂは載置部材１２３の端面に当接する。固定部１４５は、載置部材１２３の溝部１２９に螺合するねじ１５０（図６参照）用の貫通孔１４５ａを有する。なお、ねじ１５０は、図１０に示すように、主光源ユニット１１２を遮光板１１７に装着する際に、装着具１５７の貫通孔１５９ａを挿通した後に、固定部１４５の貫通孔１４５ａを挿通する。
【００２０】
上突出部１４８は、図９に示すように、主回路基板１４１の端部に形成された貫通孔１４１ａに嵌合する。これにより、主回路基板１４１の端部が上当接部１４７と下当接部１４６とで支持された状態で主基板取付具１４３に固定される。横張出部１４９は、絶縁ケース１４２の側壁に形成された貫通孔１４２ａに嵌合する。これにより、主基板取付具１４３が絶縁ケース１４２に固定される。
【００２１】
（３）遮光板
図２、図４及び図１０を用いて遮光板１１７を説明する。
遮光板１１７は、図２に示すように、主光源ユニット１１２からの光が照明器具１１１の前方から出射しないように、主光源ユニット１１２からの光を遮断する。遮光板１１７は主光源ユニット１１２からの光を上方又は下方に反射させる。つまり、遮光板１１７は遮光機能と反射機能とを有する。
遮光板１１７は薄板をプレスして構成されている。遮光板１１７は、図４に示すように、長手方向に長い長尺状をし、短手方向に１回又は複数回曲げられている。ここでは４回曲げられている。
遮光板１１７は、図２に示すように、主光源ユニット１１２を装着する光源装着機能と、副点灯回路ユニット１１９を装着する回路装着機能と、筐体１１４内で姿勢を維持するための姿勢維持機能とを有する。
【００２２】
遮光板１１７は、図２及び図４に示すように、後側から、後側傾斜部１５１、中側水平部１５２、中側傾斜部１５３、立設部１５４、前側水平部１５５をこの順で有する。
図２に示すように、後側傾斜部１５１は中側水平部１５２から後下がりに傾斜する。後側傾斜部１５１は、その後端が筐体１１４の内面（下カバー体２０２の上延伸部２１１の基部）に当接し、姿勢維持機能の一部を構成する。
中側水平部１５２の下面は、図２示すように、筐体１１４の支持部２０８により支持され、中側水平部１５２は姿勢維持機能の一部を構成する。
【００２３】
図２に示すように、中側傾斜部１５３は中側水平部１５２の前端から前上がりに傾斜する。中側傾斜部１５３には主光源ユニット１１２をその姿勢(主出射方向）を変更可能に装着するための装着具１５７が取付けられている。装着具１５７は、図１０に示すように、遮光板１１７の中側傾斜部１５３に、例えば、ねじ１６０により取り付けられる取付板部１５８と、取付板部１５８の長手方向の内側端から立設して主光源ユニット１１２を装着する装着板部１５９とを有する。
装着は、図１０に示すように、２個のねじ１５０が装着板部１５９の貫通孔１５９ａを挿通して、主光源ユニット１１２の載置部材１２３の溝部１２９（図５参照）に螺合することで、行われる。装着板部１５９は、２個のねじ１５０の中心距離を直径とする円周上に中心を挟んで対向する複数部位に貫通孔１５９ａを有している。これにより、主光源ユニット１１２を姿勢変更可能に装着できる。なお、装着板部１５９は図外の電源ケーブルや信号ケーブル用の貫通孔１５９ｂを中央に有する。
【００２４】
遮光板１１７の立設部１５４は、図２に示すように、中側水平部１５２の前端から立設する。立設部１５４は、図４に示すように、副点灯回路ユニット１１９を前面に取り付けるためのねじ孔１５４ａを有している。ねじ孔１５４ａにはねじ１６２が螺合する。
前側水平部１５５は、図２に示すように、筐体１１４の前カバー体２０１のリブ２０３ａ，２０４ａと当接して支持され、前側水平部１５５は姿勢維持機能の一部を構成する。
【００２５】
（４）副光源ユニット
主に図１１及び図１２を用いて副光源ユニット１１３を説明する。
副光源ユニット１１３は、図１１に示す光源であるＬＥＤ素子１６５が基板１６６に実装されてなるＬＥＤモジュール１６７と、ＬＥＤ素子１６５からの光に対して光学処理（集光、拡散等）を行う第１光学部材１６８及び第２光学部材１６９と、ＬＥＤモジュール１６７と第１及び第２光学部材１６８，１６９を収容するユニット筐体１７０とを有する。
【００２６】
第１光学部材１６８は、集光機能を有するレンズであり、第２光学部材１６９の小径筒部１７２の筒軸方向の略中央位置に焦点ができるように集光する。第２光学部材１６９は、第１光学部材１６８から出射された光を所望の方向に反射する。第２光学部材１６９は、第１光学部材１６８を収容する大径筒部１７１と、内周面が反射面であり且つ大径筒部１７１よりも細い小径筒部１７２とを有する。
【００２７】
ユニット筐体１７０は、ＬＥＤモジュール１６７、第１及び第２光学部材１６８，１６９を収容する本体１７３と、本体１７３の上端の開口を覆う蓋体１７４とを有する箱状をしている。
本体１７３は、図１２に示すように、ＬＥＤモジュール１６７を支持するリブ１７５と、第２光学部材１６９の大径筒部１７１を支持する支持板１７６とを内面に有する。本体１７３は、図１１に示すように、底壁１７７に貫通孔１７７ａを有している。この貫通孔１７７ａからＬＥＤ素子１６５からの光が出射される。
本体１７３は、副光源ユニット１１３を筐体１１４に取り付けるための取付部を有している。取り付けには、図１４の（ａ）に示すように、ねじ２３６と、サイドカバー体１９９の収容部２４２内のナット２３９が利用される。
取付部は、後壁１７８に形成されたねじ２３６用の貫通孔１７８ａと、図１１に示すように側壁１７９に形成されたサイドカバー体１９９の収容部２４２用の貫通孔１７９ａとを備える。なお、副光源ユニット１１３の取り付けについては後述する。
本体１７３は、図１２に示すように、蓋体１７４用のねじ穴１７９ｂを側壁１７９の肉厚部１７９ｃに有している。
本体１７３は、副光源ユニット１１３を筐体１１４に対して位置決めするための位置決め部を有している。位置決め部は、図１１に示すように、矩形状の底壁１７７における前側端と外側端（サイドカバー体が存在する側）とから下方に張り出す鍔部分１７７ｂ，１７７ｃにより構成されている。
【００２８】
蓋体１７４は、図１１に示すように、本体１７３側が開放する浅底の箱状をしている。蓋体１７４は、本体１７３を取り付けるための取付部を有している。取付部は、側壁１８０から長手方向の外方へと張り出す張出片１８０ａに設けられた貫通孔１８０ｂにより構成されている。この貫通孔１８０ｂを挿通するねじ１８３が本体１７３のねじ穴１７９ｂに螺合する。
蓋体１７４は、図１１に示すように、下端部に段差１８１を有し、当該段差１８１が本体１７３の上端の開口に嵌合する。蓋体１７４はＬＥＤモジュール１６７用の配線を通す欠け部１８２ａを有している。欠け部１８２ａは後壁１８２に形成されている。なお、欠け部１８２ａは貫通孔でも代用できる。
【００２９】
（５）副点灯回路ユニット
図２及び図４を用いて副点灯回路ユニット１１９を説明する。
副点灯回路ユニット１１９は、点灯回路を構成するための複数個の電子部品と、複数個の電子部品を実装する長尺状の副回路基板１８５（図２参照）とを有する。副点灯回路ユニット１１９は、図２に示すように、筒状の絶縁シート１８６内に配された状態で、副回路ケース１８７の内部に収容される。
副回路基板１８５には、端子台１０３や副光源ユニット１１３と接続する電気ケーブルに接続するためのコネクタ等が設けられている。
副回路ケース１８７は、図４に示すように、長尺箱状をし、長手方向に張り出す張出部１８８に貫通孔を有している。この貫通孔に挿通するねじ１６２が遮光板１１７の立設部１５４のねじ孔１５４ａに螺合する。これにより副点灯回路ユニット１１９が、副回路ケース１８７の長手方向と遮光板１１７の長手方向とが略一致する状態で、遮光板１１７に取り付けられる。
なお、副回路ケース１８７は、図２に示すように、端子台１０３や副光源ユニット１１３と接続する電気ケーブル用の貫通孔１８７ａを有している。
【００３０】
（６）筐体
図２、図３及び図１３〜図１５を用いて筐体１１４を説明する。
筐体１１４は、図２に示すように、取付器具１０１に着脱可能に装着されるフレーム１１５と、フレーム１１５に取付けられるカバー１１６とを有する。
主光源ユニット１１２は、図２に示すように、カバー１１６内であってフレーム１１５に対して前側に収容されている。副光源ユニット１１３は、図１５に示すように、フレーム１１５とカバー１１６(サイドカバー体１９９）とに跨る状態で設けられている。
【００３１】
（６−１）フレーム
フレーム１１５は、照明器具１１１が取付器具１０１に装着される際に、図２に示すように、取付器具１０１の上側延伸板部１０７により支持される上側被支持部（１９１）と、取付器具１０１の下側延伸板部１０８により支持される下側被支持部（１９４）とを有する。
フレーム１１５は薄板をプレスして構成されている。フレーム１１５は、長手方向に長い長尺状をし、図１３の（ａ）に示すように、短手方向に１回以上曲げられている。ここでは３回曲げられている。フレーム１１５は、上側から、水平部１９１、立設部１９２、第１傾斜部１９３、第２傾斜部１９４とをこの順で有している。
【００３２】
水平部１９１は、図１３に示すように、カバー１１６の上カバー部（上カバー体２００）と当接する状態で固定されている。固定には、例えば、ねじ１９６とナット１９５とが利用されている。水平部１９１は、図２に示すように、照明器具１１１が取付器具１０１に装着される際に又は装着された後に、取付器具１０１の上側延伸板部１０７により支持される上側被支持部の一例である。水平部１９１は、図１に示すように、照明器具１１１（筐体１１４）を取付器具１０１に固定するための固定部を有する。ここでの固定にはねじ１０９が利用され、固定部は貫通孔１９１ａ（図示省略）により構成される。なお、水平部１９１の後端部は下側に折り返された折返し部１９１ｂとなっている。これにより安全性を高めている。
【００３３】
図１３の（ａ）に示すように、立設部１９２は水平部１９１の前端から下方に延伸する。立設部１９２は、筐体１１４を構成するサイドカバー体１９９と固定される固定部を有している。ここでの固定には、図１５の（ｂ）に示すねじ１９７が利用され、固定部は図１３に示すように貫通孔１９２ａにより構成される。
第１傾斜部１９３は立設部１９２の下端から斜め後方へ延伸する。
【００３４】
第２傾斜部１９４は、図１３に示すように、第１傾斜部１９３の下端から斜め後方へと延伸する。第２傾斜部１９４は、図２に示すように、取付器具１０１の下側延伸板部１０８と略平行であって係合可能に延伸する。つまり、第２傾斜部１９４は、水平部１９１が取付器具１０１の上側延伸板部１０７にねじ１０９で固定された際に、第２傾斜部１９４の後端部が下側延伸板部１０８により支持され、下側被支持部の一例である。なお、図２では、第２傾斜部１９４は下側延伸板部１０８に支持されていないが、筐体１１４内に主光源ユニット１１２を収容した際に、その重みで第１傾斜部１９３及び第２傾斜部１９４が下方に変形して、第２傾斜部１９４が下側延伸板部１０８により支持される。
【００３５】
第２傾斜部１９４は、図１３の（ｂ）カバー１１６の下カバー体２０２に固定するための固定部を有する。ここでの固定にはねじ１９８が利用され、固定部はねじ１９８用の貫通孔１９４ａ（図示なし）より構成される。
第２傾斜部１９４及び下カバー体２０２は、図１３の（ｂ）や図１４の（ａ）に示すように、副光源ユニット１１３を位置決めするための欠け部１９４ｂ，２０２ａを有している。
ここでのフレーム１１５は、上述の通り、１枚の薄板をプレスしているため、上側被支持部である水平部１９１と下側被支持部である第２傾斜部１９４とを連結する連結部は、立設部１９２と第１傾斜部１９３とで構成される。
【００３６】
（６−２）カバー
カバー１１６は、長手方向の両端に位置するサイドカバー部と、上部側に位置する上カバー部と、前部側に位置する前カバー部と、下部側に位置する下カバー部とを有する。
カバー１１６は複数個の部材から構成される。具体的には、図１３に示すように、サイドカバー部はサイドカバー体１９９（図３参照）により、上カバー部は上カバー体２００により、前カバー部は前カバー体２０１により、下カバー部は下カバー体２０２によりそれぞれ構成されている。
上カバー体２００がフレーム１１５の水平部１９１に固定され、下カバー体２０２がフレーム１１５の第２傾斜部１９４に固定される。
【００３７】
（６−２−１）上カバー体
上カバー体２００は透光性を有する樹脂材料に構成されている。上カバー体２００は、図１３に示すように平板状をし、図１に示すように後端部にフレーム１１５や取付器具１０１に固定するための貫通孔２００ａ，２００ｂを有している。
上カバー体２００の前端部は前下がりの段差部となっている。換言すると、図１３の（ｂ）の拡大図に示すように、上カバー体２００は前端面の下端から前方に張り出す張出部２００ｃを有している。また、拡大図に示すように、上カバー体２００は長手方向に沿って設けられた溝２００ｄを前端部の下面に有している。張出部２００ｃ及び溝２００ｄは前カバー体２０１との組立の際に利用される。
【００３８】
（６−２−２）前カバー体
前カバー体２０１は樹脂材料やアルミ材料等により構成されている。前カバー体２０１は、図１３に示すように、円形状の約１／４に相当する前円弧状部２０３と、前円弧状部２０３の上端から後方(水平）に延伸する上水平部２０４と、前円弧状部２０３の下端から上方に延伸する下垂直部２０５とを有している。
前カバー体２０１は上カバー体２００と係合する上係合部２０６を上水平部２０４の後端部に有する。前カバー体２０１は下カバー体２０２と係合する下係合部２０７を下垂直部２０５の上端部に有する。前カバー体２０１は筐体１１４内で遮光板１１７を支持する支持部２０８を有している。
以下、各部について説明する。
【００３９】
図１３に示すように、前円弧状部２０３は裏面（後面）の上端部に補強用のリブ２０３ａを長手方向に沿って有している。前円弧状部２０３は裏面における上下方向の略中央に後方に「Ｔ」字状に張り出すＴ字リブ２０３ｂを有している。
上水平部２０４は裏面（下面）における前後方向の略中央に補強用のリブ２０４ａを長手方向に沿って２列有している。
上水平部２０４は遮光板１１７を固定するための固定部を有している。固定には図１４の（ｂ）に示すねじ２１５を利用し、固定部は貫通孔２０４ｂにより構成されている。なお、貫通孔２０４ｂは、図１３の（ａ）に示すように、２列あるリブ２０４ａ間であって長手方向の両端側に設けられている。また、ねじ２１５はサイドカバー体１９９の固定も併せて行う。つまり、ねじ２１５は、前カバー体２０１の貫通孔２０４ｂ、遮光板１１７の前側水平部１５５の貫通孔１５５ａ（図４及び図１４の（ａ）参照）を挿通し、サイドカバー体１９９の収容部２４０内のナット２３７に螺合する。
下垂直部２０５は、図１３に示すように、前側に傾斜する状態で延伸している。下垂直部２０５は直線状に延伸し、後述の下カバー体２０２の前延伸部２１０と当接する。
【００４０】
上係合部２０６は、図１３の（ｂ）の拡大図に示すように、上水平部２０４の後端部２０４ｃと、上水平部２０４の後端縁より少し前側部位から下方に向かった後上方に延伸する係合片２０６ａとから構成される。上水平部２０４の後端部（の下面）には、上カバー体２００の張出部２００ｃ（の上面）が係合(当接）し、係合片２０６ａの先端部は上カバー体２００の溝２００ｄに係合する（嵌る）。なお、ここでの係合片２０６ａの横断面形状は上方が開放する「コ」字状をしている。
【００４１】
下係合部２０７は、図１３に示すように、下カバー体２０２の前延伸部分２１０ｂが挿入される溝２０７ａにより構成されている。具体的には、図１３の（ｂ）に示すように、溝２０７ａは、下垂直部２０５の上端部から前側に延伸する下延伸部分２０７ｂと、下延伸部分２０７ｂの前端付近から上方に立設する立設部分２０７ｃと、立設部分２０７ｃから後ろ側に延伸する上延伸部分２０７ｄとから構成される。
支持部２０８は、図１３に示すように、遮光板１１７の中側水平部１５２を下方から当接する当接部分２０８ａ，２０８ｂにより構成されている。当接部分２０８ａ，２０８ｂは前後方向に間隔をおいて設けられている。これにより、遮光板１１７を安定した状態で支持できる。なお、当接部分２０８ａ，２０８ｂは、図１３の（ｂ）に示すように、下係合部２０７の上延伸部分２０７ｄの上面に設けられている。
【００４２】
（６−２−３）下カバー体
下カバー体２０２は透光性を有する樹脂材料に構成されている。下カバー体２０２は、図２に示すように、上方が開放する「コ」字状に似た形状をしている。
下カバー体２０２は、前カバー体２０１の前円弧状部２０３の後端から、そのまま円弧状に後方に延伸する下円弧状部２０９と、下円弧状部２０９から斜め前方に逆「Ｌ」字状に延伸する前延伸部２１０と、下円弧状部２０９の後端から上方に延伸する上延伸部２１１と、上延伸部２１１の上端から後方に水平に延伸する水平延伸部２１２と、水平延伸部２１２の後端から斜め前方に延伸し且つその延伸途中で登りの段差を有する段付き延伸部２１３とを有する。
下カバー体２０２の各部のうち、少なくとも水平延伸部２１２は透光性を有し、主光源ユニット１１２からの光が水平延伸部２１２から外部へと出射される。
以下、各部について説明する。
【００４３】
前延伸部２１０は、図１３に示すように、前上がり傾斜状に延伸する延伸部分２１０ａと、延伸部分２１０ａの先端前側に屈曲して延伸する前延伸部分２１０ｂとを有する。延伸部分２１０ａは前カバー体２０１の下垂直部２０５に当接する。前延伸部分２１０ｂは、図１３の（ａ）に示すように、前カバー体２０１の溝２０７ａに係合（嵌合）する。
下円弧状部２０９と上延伸部２１１との連結部分である直角部分には、図２に示すように、遮光板１１７の後側傾斜部１５１の後端部が当接する。これにより、遮光板１１７が前後方向に移動するのを規制できる。
段付き延伸部２１３は、図２に示すように、フレーム１１５の第２傾斜部１９４と略平行に延伸する下傾斜延伸部分２１３ａと、段差部２１３ｂを介して第２傾斜部１９４と略平行に延伸する上傾斜延伸部分２１３ｃとを有する。段付き延伸部２１３はフレーム１１５の第２傾斜部１９４に固定されている。固定には、図２等に示すように、ねじ１９８Ａとナット１９８Ｂとが利用され、上傾斜延伸部分２１３ｃに固定部としての貫通孔が設けられている。
【００４４】
段付き延伸部２１３は、図２に示すように、段差部２１３ｂを有しており、上傾斜延伸部分２１３ｃが第２傾斜部１９４と当接する状態で固定されると、第２傾斜部１９４と下傾斜延伸部分２１３ａとの間に隙間が形成される。この隙間に、図２に示すように、取付器具１０１の下側延伸板部１０８が進入する。
段付き延伸部２１３及び水平延伸部２１２の長手方向の全長は、図１３の（ｂ）に示すように、下円弧状部２０９、前延伸部２１０の全長よりも短く、水平延伸部２１２及び段付き延伸部２１３の長手方向の両端の外側に欠け部２０２ａが存在する。なお、欠け部２０２ａには、図１４の（ａ）に示すように副光源ユニット１１３が配される。
【００４５】
（６−２−４）サイドカバー体
図２、図１４及び図１５を用いてサイドカバー体１９９を説明する。
サイドカバー体１９９は、図１４の（ｂ）に示すように、フレーム１１５、上カバー体２００、前カバー体２０１及び下カバー体２０２の両端を塞ぐ板状の蓋部２２０と、蓋部２２０の周縁からフレーム１１５側に向かって張り出す鍔部２２１とを有する。
【００４６】
図１４に示すように、蓋部２２０は、フレーム１１５、上カバー体２００、前カバー体２０１及び下カバー体２０２が結合された状態を長手方向から見たときの外周形状の後端を塞いだような形状をしている。具体的には、蓋部２２０は円を４分の１にしたような形状（頂角が直角な扇状に似た形状）をしている。蓋部２２０は、図１４の（ａ）に示すように、副光源ユニット１１３との干渉を避けるための凹部分２２０ａを有する。
鍔部２２１は、フレーム１１５、上カバー体２００、前カバー体２０１及び下カバー体２０２の端面に当接する。鍔部２２１は、上鍔部分２２２、円弧状鍔部分２２３及び後鍔部分２２４を有する。
【００４７】
図１４の（ｂ）に示すように、上鍔部分２２２は蓋部２２０における上端縁に沿って設けられている。上鍔部分２２２はフレーム１１５の水平部１９１、カバー１１６の上カバー体２００及び前カバー体２０１の上水平部２０４における端面に当接する。
円弧状鍔部分２２３は、蓋部２２０の円弧状に沿って設けられている。円弧状鍔部分２２３は、カバー１１６の前カバー体２０１の前円弧状部２０３及び下カバー体２０２の下円弧状部２０９の端面に当接する。
図１４の（ａ）に示すように、後鍔部分２２４は蓋部２２０の後端縁に沿って設けられている。後鍔部分２２４は図１５の（ａ）に示すように、副光源ユニット１１３の後端側部に当接する。
後鍔部分２２４の下端部分と円弧状鍔部分２２３の後端部分は、図１４の（ａ）に示すように、蓋部２２０側に凹んだ凹み領域２２５となっている。
【００４８】
サイドカバー体１９９は、図１４の（ａ）に示すように、鍔部２２１から長手方向の内側に板状に張り出す張出部を有している。張出部は、図２にも示すように、上鍔部分２２２に設けられた上鍔張出部分２２８，２２９、２３０と、円弧状鍔部分２２３に設けられた円弧張出部分２３１とを有する。上鍔張出部分２２８は上カバー体２００と対向し、上鍔張出部分２２９は水平部１９１と対向し、上鍔張出部分２３０は遮光板１１７の前側水平部１５５と対向する。円弧張出部分２３１は前カバー体２０１の前円弧状部２０３と対向する。なお、円弧張出部分２３１の外周面には円弧の周方向に沿ってリブ２３１ａが複数個設けられている。
【００４９】
サイドカバー体１９９は、図２に示すように、前カバー体２０１の前円弧状部２０３のＴ字リブ２０３ｂに嵌合する嵌合部分２３３を有する。
サイドカバー体１９９は、図１４の（ａ）に示すように、ねじ２１５，２３５，２３６用のナット２３７，２３８，２３９を回転しない状態で収容する収容部２４０，２４１，２４２を蓋部２２０に有している。収容部２４０，２４１，２４２は矩形筒状に延伸し、ねじ２１５，２３５，２３６側の面に開口を有している。
【００５０】
４．照明器具の組立
照明器具１１１の組み立ての概略を以下説明する。
（１）図１０に示すように、主光源ユニット１１２を遮光板１１７に装着具１５７を介して装着する。この際、装着具１５７は、複数個の貫通孔１５９ａを有しているため、主光源ユニット１１２の姿勢を所望の向きにして、装着具１５７にねじ１５０により装着できる。これにより設置面への配光を必要に応じて増減できる。
（２）図４に示すように、副点灯回路ユニット１１９を遮光板１１７の立設部１５４にねじ１６２を利用して取り付ける。遮光板１１７に主光源ユニット１１２及び副点灯回路ユニット１１９を取り付けたものを主光源付き遮光板とする。
【００５１】
（３）図１３に示すように、フレーム１１５と、上カバー体２００、前カバー体２０１及び下カバー体２０２を組み立てる。なお、組み立てられたものを筐体本体とする。
フレーム１１５の水平部１９１と上カバー体２００との固定には、ねじ１９６とナット１９５とが利用される。フレーム１１５の第２傾斜部１９４と下カバー体２０２の上傾斜延伸部分２１３ｃとの固定にはねじ１９８Ａとナット１９８Ｂとが利用される（図２参照）。
【００５２】
図１３の（ｂ）の拡大図に示すように、上カバー体２００の前側端部の張出部２００ｃが前カバー体２０１の上水平部２０４の後端部２０４ｃに係合し、前カバー体２０１の上水平部２０４の係合片２０６ａが上カバー体２００の溝２００ｄに嵌る。
前カバー体２０１と下カバー体２０２とは、下カバー体２０２の前延伸部２１０の延伸部分２１０ａが前カバー体２０１の下垂直部２０５に当接する状態で、下カバー体２０２の前延伸部分２１０ｂが前カバー体２０１の下係合部２０７の溝２０７ａに係合する（図１３の（ａ）参照）。
これにより、上カバー体２００、前カバー体２０１及び下カバー体２０２が組み合わされる。
【００５３】
（４）筐体本体の長手方向の一端開口から主光源付き遮光板を挿入する。この際、図２に示すように、遮光板１１７の前側水平部１５５が前カバー体２０１の前円弧状部２０３における上部側のリブ２０３ａと上水平部２０４におけるリブ２０４ａにより支持され、遮光板１１７の中側水平部１５２が前カバー体２０１の支持部２０８（図１３の（ａ）参照）により支持され、遮光板１１７の後側傾斜部１５１の後端部が下カバー体２０２の下円弧状部２０９と上延伸部２１１との接続部分により支持される。
これにより、主光源付き遮光板は、筐体本体内での長手方向以外の方向において位置決めされる。なお、筐体本体に主光源付き遮光板が組み込まれたものを主光源付き筐体本体とする。
【００５４】
（５）図１４に示すように、主光源付き筐体本体の両端部に副光源ユニット１１３を配置する。副光源ユニット１１３の取り付けは、筐体本体の欠け部１９４ｂ，２０２ａに副光源ユニット１１３を配置する。この際、図１１に示す副光源ユニット１１３の底壁１７７の鍔部分１７７ｃが、図２に示すように、カバー１１６の下カバー体２０２の上延伸部２１１に係合する。副光源ユニット１１３のサイドカバー体１９９と反対側の側壁１７９が、図１４の（ａ）に示すように、水平延伸部２１２及び段付き延伸部２１３の端面に当接する。なお、副光源ユニット１１３が配された主光源付き筐体本体を器具本体とする。
【００５５】
（６）図１４に示すように、器具本体の両側にサイドカバー体１９９を取り付ける。取り付けには、ねじ２１５，２３５，２３６とナット２３７，２３８，２３９により行われる。これにより照明器具１１１が組み立てられる。
【００５６】
５．照明装置
照明装置１００は、使用に際して、設置面に取り付けられている取付器具１０１に照明器具１１１が着脱可能に装着される。装着に際して、図２に示すように、照明器具１１１のフレーム１１５の水平部１９１が取付器具１０１の上側延伸板部１０７により支持されると共に、フレーム１１５の第２傾斜部１９４が取付器具１０１の下側延伸板部１０８により支持される。これにより、照明器具１１１を安定した状態で取付器具１０１に装着される。
【００５７】
＜第２実施形態＞
第１実施形態では、主光源ユニット１１２は主に上方を照射し、フレーム１１５を１枚の金属板により構成している。
第２実施形態は、主光源ユニットは上方を照射する上光源部と下方を照射する下光源部とから構成され、フレームに主光源ユニットと遮光板等が取り付けられている。
以下、第１実施形態と異なる構成について主に説明する。
【００５８】
１．全体構造
一例として説明する照明装置３００は、一部屋に複数個、例えば４個のベットが配された病室や客室に設置される、所謂、４床用である。ここでの照明装置３００は、壁スイッチの操作により点灯・消灯する他、調光可能に構成されている。
照明装置３００は、図１６に示すように、取付器具３０１と照明器具３１１とを有する。
取付器具３０１は、図示しないねじ等の固定具を利用して、設置面に取り付けられる。
照明器具３１１は、光源ユニット（３１２，３１３）と、光源ユニットを収容する筐体３１４とを備え、筐体３１４が取付器具３０１に着脱可能に装着される。装着された後、照明器具３１１がねじ３０９により取付器具３０１に固定される。
光源ユニットは、上述のように、上光源部と下光源部の２個の光源部を備える主光源ユニット（３１２Ａ，３１２Ｂ）と、主光源ユニットにおける長手方向の両側に配され且つ下方を照射する副光源ユニット（３１３）とを備える。なお、ここでの副光源ユニット（３１３）は第１実施形態と同様に足元灯用である。
【００５９】
２．取付器具
図１６を用いて説明する。
取付器具３０１は、設置面に取り付けられる設置具１０２と、設置具１０２に設けられた電源用の端子台１０３，１０３，１０３及び主光源ユニット３１２の調光信号用の端子台１０５を備える。
設置具の構成は第１実施形態における設置具１０２の構成と略同じあり、電源用端子台が、２個の主光源ユニット（３１２Ａ，３１２Ｂ）と副光源ユニット（３１３）用に合計で３個ある点で第１実施形態の取付器具１０１と異なる。
【００６０】
３．照明器具
主に図１７を用いて照明器具３１１の概略を説明する。
照明器具３１１は、主光源ユニット３１２、２個の副光源ユニット３１３（図１７では１個の副光源ユニット３１３が現れている）、フレーム３１５、カバー３１６を備える。なお、筐体３１４はフレーム３１５とカバー３１６とから構成される。
主光源ユニット３１２は、ベース照明用の上光源ユニット３１２Ａと、読書灯用の下光源ユニット３１２Ｂとを備える。主光源ユニット３１２はフレーム３１５に取り付けられている。なお、上光源ユニット３１２Ａが調光可能な構成とされている。
フレーム３１５には遮光板３１７が取り付けられ、当該遮光板３１７に主光源ユニット用の主点灯回路ユニット３１８と、副光源ユニット３１３用の副点灯回路ユニット１１９とが取り付けられている。なお、副点灯回路ユニット１１９は、第１実施形態と同じである。
以下、各部について説明する。
【００６１】
（１）フレーム
主に図１８〜図２０を用いてフレーム３１５を説明する。
フレーム３１５は、図１７に示すように、取付器具３０１の上側延伸板部１０７に支持される上側被支持部として機能する上Ｌ字状板部材３２１と、取付器具３０１の下側延伸板部１０８に支持される下側被支持部として機能する下Ｌ字状部材３２２と、上Ｌ字状板部材３２１と下Ｌ字状部材３２２とを連結する連結部材３２３とを備える。なお、連結部材３２３は、上側被支持部と下側被支持部とを連結する連結部として機能する。
【００６２】
（１−１）上Ｌ字状板部材
上Ｌ字状板部材３２１は、図１８に示すように、上側延伸板部１０７に取り付けられ且つ水平に延伸する上長辺部３２４と、上長辺部３２４の前端部から前下がりに傾斜する上短辺部３２５とを備える。なお、上Ｌ字状板部材３２１は、横断面形状が「Ｌ」字状をし、上長辺部３２４がＬ字の長辺に、上短辺部３２５がＬ字の短辺にそれぞれ相当する。
【００６３】
（１−２）下Ｌ字状部材
下Ｌ字状部材３２２は、図１８に示すように、下側延伸板部１０８に支持される支持部分３２６を有する下短辺部３２７と、下短辺部３２７の前端部から前上がりに傾斜する下長辺部３２８とを有する。支持部分３２６は後下がりに傾斜し、傾斜角度は、図１７に示すように、取付器具３０１の下側延伸板部１０８の傾斜角度と略等しい。
下Ｌ字状部材３２２は、図１８に示すように、横断面において、下短辺部３２７の前側部分との間に前後方向に延伸する溝３２９が形成されるように、下短辺部３２７から後下がりの傾斜状に延伸する下傾斜部３３０と、下傾斜部３３０の下端から後方に延伸する下水平部３３１とを有している。
【００６４】
（１−３）連結部材
連結部材３２３は、連結機能以外に、上光源ユニット３１２Ａを搭載する上光源搭載機能を有する。連結部材３２３は下光源ユニット３１２Ｂを搭載する下光源搭載機能を有する。
連結部材３２３は、横断面において、前下がりの矩形状部の前側下部が開放するような形状をしている。連結部材３２３は、上壁部３３３、前壁部３３４、後壁部３３５及び下壁部３３６を有する。
【００６５】
上壁部３３３は、図１８に示すように、後部側に位置する後水平部分３３８と、前部側に位置する前下りの前傾斜部分３３９と、後水平部分３３８の前側部分から後上がりに傾斜する後傾斜部分３４０とを有する。後傾斜部分３４０がねじ３４１により上Ｌ字状板部材３２１に固定される。前傾斜部分３３９に上光源ユニット３１２Ａが搭載される。
上壁部３３３は、後水平部分３３８の前端から後傾斜部分３４０と平行に延伸し且つ後傾斜部分３４０とで溝３４３を形成する傾斜部分３４２を有している。溝３４３には、上Ｌ字状板部材３２１の上短辺部３２５の下端が挿入され、位置決めされる。
前壁部３３４は、上壁部３３３の前傾斜部分３３９に対して略直交する状態で設けられている。前壁部３３４はねじ３４５により遮光板３１７に固定されている。
【００６６】
後壁部３３５は上垂直部分３４６と下傾斜部分３４７とを有する。上垂直部分３４６には、図１７に示すように、サイドカバー体１９９と結合するための結合具３４８（図２３参照）がねじ３４９により固定される。下傾斜部分３４７は、図１８に戻って、下Ｌ字状部材３２２の下長辺部３２８にねじ３５１により固定される。後壁部３３５は、下傾斜部分３４７の上端から下傾斜部分３４７と平行に延伸して当該下傾斜部分３４７とで溝３５２を形成するＬ字部分３５３を有している。溝３５２には、下Ｌ字状部材３２２の下長辺部３２８の上端部が挿入され、位置決めされる。
【００６７】
下壁部３３６は、長辺領域３５５と短辺領域３５６とからなる下向Ｌ字状部分３５７と、短辺領域３５６から前方に逆「つ」字状に延伸するつ字状部分３５８とを有する。
長辺領域３５５の下面には下光源ユニット３１２Ｂが配される。なお、下光源ユニット３１２Ｂはねじ３５９により落下防止されている。つ字状部分３５８は、短辺領域３５６の下端よりも上部側から前方に延伸した後に、下側に屈曲し、さらに後上方へと延伸する。つ字状部分３５８の内面で形成される溝３６１には、図１７に示すように、前カバー体２０１の支持部２０８と下係合部２０７とが嵌る。
【００６８】
（２）主光源ユニット
上光源ユニット３１２Ａは、図１７に示すように、長手方向に長い上ＬＥＤ基板３６３と、上ＬＥＤ基板３６３に長手方向に間隔をおいて実装された複数個の上ＬＥＤ３６４と、上点灯回路ユニット３１８Ａと接続するためのコネクタ３６５とを備える。
下光源ユニット３１２Ｂは、長手方向に長い下ＬＥＤ基板３６６と、下ＬＥＤ基板３６６に長手方向に間隔をおいて実装された複数個の下ＬＥＤ３６７と、下点灯回路ユニット３１８Ｂと接続するためのコネクタ３６８（図１８参照）とを備える。
【００６９】
（３）遮光板
図１８を用いて遮光板３１７を説明する。
遮光板３１７は、上光源ユニット３１２Ａからの光が筐体３１４の前側から出射するのを規制する遮光機能を有する。遮光板３１７は、上光源ユニット３１２Ａからの光を上方に向けて反射させる機能を有している。遮光板３１７は、後述の主点灯回路ユニット３１８を装着する主回路装着機能を有している。遮光板３１７は、後述の副点灯回路ユニット１１９を装着する副回路装着機能を有している。遮光板３１７は、フレーム３１５に取り付けられ、筐体３１４内での位置決め機能を有している。
【００７０】
遮光板３１７は一枚の略矩形長尺状の金属板をプレス加工して構成される。遮光板３１７は短手方向に複数箇所（ここでは、５箇所）の屈曲部を有する。
遮光板３１７は、上主傾斜部３７１と下主傾斜部３７２とを少なくとも有している。
下主傾斜部３７２は、前上り状に傾斜し、上端部がフレーム３１５の連結部材３２３の前壁部３３４にねじ３４５により固定されている。下主傾斜部３７２の前面には主点灯回路ユニット３１８がねじ３８３により固定されている。なお、下主傾斜部３７２の上端がフレーム３１５の上壁部３３３と前壁部３３４との境界部分に位置する。
上主傾斜部３７１は下主傾斜部３７２の上端から前上り状に傾斜している。上主傾斜部３７１の後面が反射機能と遮光機能とを有する。上主傾斜部３７１の前面には副点灯回路ユニット１１９がねじ３８４により固定されている。
【００７１】
遮光板３１７は、上主傾斜部３７１の前端（上端）から前方に延伸する上中間部３７３と上水平部３７４とを有している。上水平部３７４は、図１７に示すように、カバー３１６の前カバー体２０１のリブ２０３ａ，２０４ａに支持され、上側での位置決め機能を有する。
遮光板３１７は、図１８に示すように、下主傾斜部３７２の後端（下端）から後方に延伸する下副傾斜部３７５を有している。下副傾斜部３７５は、図１７に示すように、カバー３１６のサイドカバー体１９９（の円弧張出部分２３１）の内周面に当接し（支持され）、下側での位置決め機能を有する。
【００７２】
（４）点灯回路ユニット
主点灯回路ユニット３１８は、上光源ユニット３１２Ａ用の上点灯回路ユニット３１８Ａと、下光源ユニット３１２Ｂ用の下点灯回路ユニット３１８Ｂとを有している。
上点灯回路ユニット３１８Ａと下点灯回路ユニット３１８Ｂとは略同じ構成であり、図面の便宜上、図１７で現れている下点灯回路ユニット３１８Ｂについて説明する。
下点灯回路ユニット３１８Ｂは、点灯回路や調光回路を構成するための複数個の下電子部品３７７Ｂと、複数個の下電子部品３７７Ｂを実装する下回路基板３７８Ｂとを有する。下点灯回路ユニット３１８Ｂは、筒状の絶縁シート３７９Ｂ内に配された状態で、下回路ケース３８１Ｂに収容される。
下回路基板３７８Ｂには、図１６に示す端子台１０３，１０５や下光源ユニット３１２Ｂと接続する電気ケーブルに接続するためのコネクタ等が設けられている。下回路ケース３８１Ｂは、図１９に示すように、長尺箱状をし、長手方向に張り出す張出部３８２Ｂの貫通孔を挿通するねじ３８３により遮光板３１７の下主傾斜部３７２に固定されている。なお、下回路ケース３８１Ｂは端子台１０３，１０５や下光源ユニット３１２Ｂと接続する電気ケーブル用の貫通孔３８５Ｂ等を有している。
【００７３】
上点灯回路ユニット３１８Ａは、図示しないが、上電子部品３７７Ａと上回路基板３７８Ａを有し、絶縁シート３７９Ａ内に配された状態で、図１９に示す上回路ケース３８１Ａに収容されている。上回路ケース３８１Ａの張出部３８２Ａがねじ３８３を利用して遮光板３１７に固定されている。なお、上回路基板３７８Ａにも電気ケーブル用のコネクタ等が設けられ、上回路ケース３８１Ａに貫通孔３８５Ａ（図１９参照）が設けられている。
図１９に示すように、遮光板３１７の長手方向の一方側に下点灯回路ユニット３１８Ｂが、遮光板３１７の長手方向の他方側に上点灯回路ユニット３１８Ａがそれぞれ取付けられている。なお、上点灯回路ユニット３１８Ａと下点灯回路ユニット３１８Ｂとの位置は長手方向に逆であってもよい。
【００７４】
副点灯回路ユニット１１９は、第１実施形態の副点灯回路ユニット１１９と同じ構成であり、図１８に示すように、遮光板３１７の上主傾斜部３７１にねじ３８４により固定されている。なお、副点灯回路ユニット１１９は、図１９に示すように、遮光板１１７の長手方向の他方側に配されている。
【００７５】
（５）カバー
主に図１７を用いてカバー３１６を説明する。
カバー３１６は、長手方向の両端に位置するサイドカバー部と、上部側に位置する上カバー部と、前部側に位置する前カバー部と、下部側に位置する下カバー部とを有する。
カバー３１６は複数個の部材から構成される。具体的には、サイドカバー部は第１実施形態で説明したサイドカバー体１９９により、上カバー部は第１実施形態で説明した上カバー体２００により、前カバー部は第１実施形態で説明した前カバー体２０１により、下カバー部は下カバー体３８７によりそれぞれ構成される。
上カバー体２００は、図２０に示すように、フレーム３１５の上Ｌ字状板部材３２１の上長辺部３２４にねじ１９６とナット１９５とにより固定されている。
【００７６】
前カバー体２０１は、図１７に示すように、ねじ２１５が前カバー体２０１の上水平部２０４の貫通孔２０４ｂ（図２０の（ａ）参照）、遮光板３１７の上水平部３７４の貫通孔３７４ａ（図１９参照）を挿通してサイドカバー体１９９の収容部２４０内のナット２３７に螺合することで、一体化される。
前カバー体２０１は、図１７に示すように、下部側の下係合部２０７と支持部２０８とが、フレーム３１５の連結部材３２３の下壁部３３６の一部を構成するつ字状部分３５８の溝３６１（図１８参照）に挿入されることで、フレーム３１５に取り付けられている。
下カバー体３８７は光透過性を有する。ここでは、下カバー体３８７は光透過性樹脂により構成されている。下カバー体３８７は長尺矩形板状をしている。下カバー体３８７は、図１７に示すように、その前端部が前カバー体２０１の下係合部２０７の溝２０７ａに挿入され、後端部がフレーム３１５の下Ｌ字状部材３２２の溝３２９に挿入されている。
【００７７】
サイドカバー体１９９と前カバー体２０１やフレーム３１５との間には、図２３に示すようにサイド遮光板４１１が配されている。サイドカバー体１９９及びサイド遮光板４１１並びにサイドカバー体１９９の前カバー体２０１やフレーム３１５への取り付けについては後述する。
【００７８】
（６）副光源ユニット
図２１を用いて副光源ユニット３１３について説明する。
副光源ユニット３１３は、第１実施形態と同様に、ＬＥＤモジュール１６７と第１光学部材１６８及び第２光学部材１６９（図１１及び図１２参照）をユニット筐体３８８に収容してなる。ＬＥＤモジュール１６７、第１光学部材１６８、第２光学部材１６９は第１実施形態と同じ構成あるため、ユニット筐体３８８について説明する。
【００７９】
ユニット筐体３８８は、図２１の（ａ）に示すように、ＬＥＤモジュール１６７、第１及び第２光学部材１６８，１６９を収容する本体３８９と、本体３８９の上端の開口を覆う蓋体３９１とを有する。なお、蓋体３９１はねじ３９０により本体３８９に固定されている。
本体３８９は直方体状の箱状であって上端が開口する本体部３９２を有する。本体部３９２の内部構成は、第１実施形態の本体１７３と同じである。
【００８０】
本体３８９は、本体部３９２の前壁３９３の下部から前方に張り出す前水平張出部３９４と、本体部３９２の前壁３９３と前水平張出部３９４とにおける長手方向の内側端から前方に張り出す前垂直張出部３９５と、前垂直張出部３９５の下端であって前水平張出部３９４の上面部から長手方向の内側に張り出す横水平張出部３９６とを有する。
なお、前水平張出部３９４は、図２１の（ｃ）に示すように、本体部３９２の底壁３９７からそのまま前方に延伸するように設けられている。なお、底壁３９７には光透過用の貫通孔１７７ａが設けられている。
副光源ユニット３１３をフレーム３１５やカバー３１６に取り付ける際に、図２２の（ａ）に示すように、前水平張出部３９４の前端部３９４ａは前カバー体２０１の溝２０７ａに挿入され、横水平張出部３９６は下カバー体３８７の上面に当接する。なお、前垂直張出部３９５は下光源ユニット３１２Ｂからの光を遮光する機能を有する。
前垂直張出部３９５の上端面は、図１７に示すように、フレーム３１５の連結部材３２３における下壁部３３６の長辺領域３５５（図１８参照）と対向する傾斜面となっており、下光源ユニット３１２Ｂの下ＬＥＤ基板３６６と当接又は近接する。これにより、下光源ユニット３１２Ｂの落下を防止できる。
【００８１】
底壁３９７は、図２１の（ｃ）に示すように、平坦部３９８と後下がりの傾斜部３９９とを有している。本体部３９２は、底壁３９７の傾斜部３９９をそのまま後方へ延伸させた後傾斜延伸部４０１と、後傾斜延伸部４０１の後端から後方に延伸する後水平延伸部４０２と、長手方向の内側に位置する側壁４０３から後方及び下方へと延伸する後垂直延伸部４０４と、後垂直延伸部４０４の下端部を残して長手方向の内側に張り出す横張出部４０５とを有する。残った下端部を残存部分４０４ａとする。
副光源ユニット３１３をフレーム３１５やカバー３１６に取り付ける際に、図２２の（ｂ）及び（ｃ）に示すように、後垂直延伸部４０４の残存部分４０４ａがフレーム３１５の下Ｌ字状部材３２２の下傾斜部３３０と下水平部３３１の端面に当接し、横張出部４０５が下傾斜部３３０と下水平部３３１の上面に当接する。なお、横張出部４０５の上端は、図２２の（ｃ）に示すように、下Ｌ字状部材３２２の下短辺部３２７の下面と当接する。
【００８２】
本体部３９２は、図２１の（ｂ）及び図２２の（ａ）に示すように、後壁４０６との間に空間を形成するように、後壁４０６と間隔をおいて対向する後対向部４０８を有する。後対向部４０８は、図２１の（ｃ）に示すように、後水平延伸部４０２の後端から上方に延伸している。
副光源ユニット３１３をフレーム３１５やカバー３１６に取り付ける際に、図２２の（ａ）に示す空間４０７に、図２３に示すサイドカバー体１９９の収容部２４２が嵌り、ねじ２３６が対向部４０８の欠け部４０８ａを挿通して、収容部２４２内のナット２３９に螺合する。
【００８３】
本体部３９２は、図２１の（ａ）及び（ｃ）に示すように、前水平張出部３９４、底壁３９７における長手方向の外側端から下方に延伸する横延伸部４０９を有している。副光源ユニット３１３をフレーム３１５やカバー３１６に取り付ける際に、図２２の（ａ）に示すように、横延伸部４０９の前端４０９ａが前カバー体２０１の下垂直部２０５の後面に当接する。
【００８４】
（７）サイド遮光板
サイドカバー体１９９と前カバー体２０１やフレーム３１５との間には、図２３に示すようにサイド遮光板４１１が配されている。
（７−１）サイドカバー体
サイドカバー体１９９は、第１実施形態で説明したものと同じ構成であるが、第２実施形態でのみ機能する構成があり、その構成について説明する。
サイドカバー体１９９は、図１４の（ａ）及び図１７に示すように、上光源ユニット３１２Ａに合わせてフレーム３１５側に延伸する上延伸片４１２と、下光源ユニット３１２Ｂに合わせてフレーム３１５側に延伸する下延伸片４１３とを有する。なお、図１７では、下延伸片４１３は副光源ユニット３１３で隠れている。
【００８５】
上延伸片４１２は、図１７に示すように、上ＬＥＤ基板３６３の上面及び前面に対向するように設けられている。下延伸片４１３も、下ＬＥＤ基板３６６の下面及び前面に対向するように設けられている。
図２２の（ａ）に示すように、副光源ユニット３１３における前水平張出部３９４における長手方向の外側の前端部３９４ａは前カバー体２０１から長手方向の外方へ張り出している。この張り出した前端部３９４ａ用の溝４１４が、図１４の（ａ）に示すように、蓋部２２０の内面に形成されている。つまり、サイドカバー体１９９は、図１４の（ａ）に示すように、溝４１４を形成するための溝形成部４１５を有している。なお、溝形成部４１５は、図１７に示すように、前カバー体２０１における下係合部２０７と同じような形状をしている。
【００８６】
（７−２）サイド遮光板
サイド遮光板４１１について図２３を用いて説明する。
サイド遮光板４１１は、サイドカバー体１９９の外周形状に対応した板状部４１６と、板状部４１６の周縁から前カバー体２０１やフレーム３１５に向かって張り出す鍔部４１７を有している。
板状部４１６は、サイドカバー体１９９の蓋部２２０から張り出す部位用の貫通孔、欠け部や凹みを有している。以下、図１４の（ａ）と図２３とを対応させながら説明する。
貫通孔４１８はサイドカバー体１９９の上延伸片４１２用であり、貫通孔４１９は下延伸片４１３用である。欠け部４２１は収容部２４０用、欠け部４２２は収容部２４１用、欠け部４２３は収容部２４２用、欠け部４２４は溝形成部４１５用、欠け部４２５は嵌合部分２３３用である。凹み４２６は副光源ユニット３１３用である。
鍔部４１７はサイドカバー体１９９の鍔部２２１の内周面に対向又は当接する。鍔部４１７の張出量はサイドカバー体１９９の鍔部２２１と略同じである。
【００８７】
（７−３）取り付け
サイドカバー体１９９のカバー３１６及びフレーム３１５等への取付は、サイドカバー体１９９内にサイド遮光板４１１を配した状態で、ねじ２１５，２３５，２３６と、収容部２４０，２４１，２４２内のナット２３７，２３８，２３９を利用して行われる。
ねじ２１５の螺合は第１実施形態と同じである。
ねじ２３５は、図２３に示すように、フレーム３１５の連結部材３２３にねじ４２８で取り付けられた結合具３４８の貫通孔３４８ａを挿通して、ナット２３８と螺合する。
サイドカバー体１９９の収容部２４２は、図２３に示すように、副光源ユニット３１３の対向部４０８の裏側の空間４０７（図２２の（ａ）参照）に挿入され、この状態で、ねじ２３６が副光源ユニット３１３の欠け部４０８ａを挿通して空間４０７内のナット２３９と螺合する。
【００８８】
以上、第１及び第２実施形態を説明したが、これらの実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００８９】
＜変形例＞
１．取付器具
（１）設置具
実施形態の設置具１０２は、１枚の金属板をプレス加工しているが、複数枚の金属板を結合することで構成してもよいし、樹脂により構成してもよい。樹脂で構成する場合は、上側延伸部と下側延伸部は板状をしていなくてもよい。
（２）上側延伸板部
実施形態の上側延伸板部１０７は、取付板部１０６から水平方向に延伸している。つまり、上側延伸板部１０７と取付板部１０６とが直交している。
しかしながら、上側延伸板部と取付板部とが直交していなくてもよい。但し、上側延伸板部は、取付板部に対して略直交する方向、又は直交する方向よりも上方に延伸していることが好ましい。これにより、上側延伸板部により支持される照明器具が、上側延伸板部から下方にズレるのを防止できる。
（３）延伸部
実施形態では、下側延伸部が斜め上方に延伸しているが、照明器具を安定して支持するには、上側延伸部と下側延伸部との少なくとも一方が斜め上方に延伸していればよい。
実施形態では、上側延伸部及び下側延伸部は長手方向に連続しているが、例えば、長手方向に間隔をおいて取付板部から延伸するようにしてもよい。例えば、上側延伸部が長手方向に連続し、下側延伸部が長手方向に間隔をおいて存在してもよい。
延伸部は、上下の２個であったが、３個以上あってもよい。例えば、上下の中間に中側延伸部を設けてもよい。
【００９０】
２．光源ユニット
実施形態の副光源ユニット１１３，３１３は、主光源ユニット１１２，３１２と別体で設けられているが、一体で設けられてもよい。実施形態では、説明していないが、例えば、常夜灯等の副光源ユニットを含んでもよい。一床用の照明装置の場合、調光機能以外に調色機能を持たせてもよい。
【００９１】
３．点灯回路ユニット
第１実施形態の主点灯回路ユニット１１８は主光源ユニット１１２の載置部材１２３に設けられていたが、第２実施形態のように、遮光板に設けてもよいし、フレームに設けてもよい。
第２実施形態の上点灯回路ユニット３１８Ａと下点灯回路ユニット３１８Ｂとは別体で遮光板３１７に設けられているが、例えば、１枚の基板に上光源ユニット用とした光源ユニット用との電子部品を実装するようにしてもよい。
【符号の説明】
【００９２】
１００      照明装置
１０１      取付器具
１０６      取付板部（取付部）
１０７      上側延伸板部（上側延伸部）
１０８      下側延伸板部（下側延伸部）
１１１      照明器具
１１２      主光源ユニット
１１３      副光源ユニット
１１４      筐体
１１５      フレーム
１１６      カバー
１１７      遮光板
１６５      ＬＥＤ素子
１９１      水平部（上側被支持部）
１９２      立設部（連結部の一部）
１９３      第１傾斜部（連結部の一部）
１９４      第２傾斜部（下側被支持部）
【図１】
2019087465.tif 000003
【図２】
2019087465.tif 000004
【図３】
2019087465.tif 000005
【図４】
2019087465.tif 000006
【図５】
2019087465.tif 000007
【図６】
2019087465.tif 000008
【図７】
2019087465.tif 000009
【図８】
2019087465.tif 000010
【図９】
2019087465.tif 000011
【図１０】
2019087465.tif 000012
【図１１】
2019087465.tif 000013
【図１２】
2019087465.tif 000014
【図１３】
2019087465.tif 000015
【図１４】
2019087465.tif 000016
【図１５】
2019087465.tif 000017
【図１６】
2019087465.tif 000018
【図１７】
2019087465.tif 000019
【図１８】
2019087465.tif 000020
【図１９】
2019087465.tif 000021
【図２０】
2019087465.tif 000022
【図２１】
2019087465.tif 000023
【図２２】
2019087465.tif 000024
【図２３】
2019087465.tif 000025